(57)【要約】【課題】撮影条件に応じて撮像素子の感度を最適に設定しつつ、少光量で且つ広範囲を測光できる予備発光を行うことが可能なストロボ撮影装置を提供すること。【解決手段】予備発光時の撮像素子１０４の感度を設定するに当たり、まず、ＩＳＯモード設定が固定ＩＳＯモードであるか否かを判定する（ステップＳ３０１）。ＩＳＯモードが固定ＩＳＯモードでない場合に被写体輝度が高輝度発光条件を満たしているか否かを判定する（ステップＳ３０２）。被写体輝度が高輝度発光条件を満たしていない場合に、被写体距離に従って撮像素子１０４の感度を設定する（ステップＳ３０４〜Ｓ３０８）。ＩＳＯモードが固定ＩＳＯモードでない場合や被写体輝度が高輝度発光条件を満たしている場合にはそれぞれのＩＳＯ設定に従って撮像素子の感度を設定する（ステップＳ３０３）。【選択図】      図４
2009288657.tif 000002
【特許請求の範囲】
【請求項１】
被写体を撮像して撮像信号を得る撮像手段と、
前記撮像信号を増幅する増幅手段と、
前記被写体を照明する照明手段と、
前記被写体の輝度を測定する測光手段と、
前記被写体までの距離を測定する測距手段と、
前記照明手段の予備発光に先立って得られる、撮影時における前記撮像手段の感度に係る情報と、前記被写体の輝度と、前記被写体までの距離とを判定条件として、前記照明手段の予備発光時の前記増幅手段における増幅の際の増幅率を設定する増幅率設定手段と、
前記増幅率設定手段によって前記増幅手段の増幅率を設定した状態で、前記照明手段による予備発光を行う制御手段と、
を具備することを特徴とするストロボ撮影装置。
【請求項２】
前記増幅率設定手段は、前記増幅率を設定する際に、まず、前記撮影時における前記撮像手段の感度に係る情報を判定条件として前記増幅率の設定を行い、次に、前記被写体の輝度を判定条件として前記増幅率の設定を行い、次に、前記被写体までの距離を判定条件として前記増幅率の設定を行うことを特徴とする請求項１に記載のストロボ撮影装置。
【請求項３】
前記増幅率設定手段は、前記撮影時における前記撮像手段の感度に係る情報を判定条件とした前記増幅率の設定として、前記撮影時における前記撮像手段の感度に係る情報が、前記撮影時における前記撮像手段の感度を固定とするモードであることを示す場合には、前記被写体の輝度を判定とした前記増幅率の設定を行わずに前記増幅率を設定し、前記撮影時における前記撮像手段の感度に係る情報が、前記撮影時における前記撮像手段の感度を可変とするモードであることを示す場合には、前記被写体の輝度を判定条件とした前記増幅率の設定を行うことを特徴とする請求項２に記載のストロボ撮影装置。
【請求項４】
前記増幅率設定手段は、前記被写体の輝度を判定条件とした前記増幅率の設定として、前記被写体の輝度が高輝度発光条件を示す場合には、前記被写体までの距離を判定条件とした前記増幅率の設定を行わずに前記増幅率を設定し、前記被写体の輝度が高輝度発光条件を示さない場合には、前記被写体までの距離を判定条件とした前記増幅率の設定を行うことを特徴とする請求項３に記載のストロボ撮影装置。
【請求項５】
前記増幅率設定手段は、前記撮影時における前記撮像手段の感度を固定とするモードであることを示す場合には、前記被写体までの距離を判定条件とした前記増幅率の設定を行うことを特徴とする請求項２に記載のストロボ撮影装置。
【請求項６】
前記被写体までの距離を判定条件とした前記増幅率の設定として、前記被写体までの距離が測定できなかった場合には、前記増幅率を所定値に設定し、前記被写体までの距離が測定できた場合には、前記増幅率を前記被写体までの距離に応じて設定することを特徴とする請求項４又は５に記載のストロボ撮影装置。
【発明の詳細な説明】
【技術分野】
【０００１】
本発明は、ストロボ装置を用いて撮影を行うことが可能なストロボ撮影装置に関する。
【背景技術】
【０００２】
デジタルカメラのストロボ調光方式の１つとしてＴＴＬ（Through The Lens）調光方式が知られている。ＴＴＬ調光方式は、撮影前にストロボ装置を少光量で発光させ（予備発光と呼ばれる）、予備発光時に撮像素子を介して得られる撮像信号に基づいて測光処理を実行し、この測光処理によって得られる測光データを用いて撮影時におけるストロボ装置の発光量（本発光量）を演算する方式である。
【０００３】
近年、デジタルカメラの小型化に伴ってストロボ装置の小型化も進んできており、これに伴ってストロボ装置で発光可能な光の光量も減少してきている。少光量の予備発光で広範囲の測光を行えるようにするための手法の１つとして特許文献１の手法が提案されている。特許文献１では、予備発光時に測距手段による測距を行い、この測距結果に従って予備発光時の撮像素子の感度（撮像信号の増幅率）を設定するようにしている。このような特許文献１の手法により、少光量の予備発光でより遠距離に対する測光を行うことが可能である。
【特許文献１】特開２００６−０５３４９３号公報
【発明の開示】
【発明が解決しようとする課題】
【０００４】
上述のように、特許文献１の手法では、被写体距離に応じて予備発光時の撮像素子の感度を設定している。しかしながら、撮影時における撮像素子の感度（ＩＳＯ感度に相当）がユーザによって予め決められている場合には、予備発光時で設定された撮像素子の感度を撮影時に使用できない場合が考えられる。このような場合、予備発光時に決定された光量でストロボ装置を発光させて撮影を行っても、適正な露出が得られない可能性がある。
【０００５】
また、ストロボ装置は、低輝度被写体を明るくするために用いられるだけでなく、被写体に対して背景のほうが明るい逆光シーンにおける補助光としても用いられる。逆光シーンにおいては、ＡＥ処理だけで露出を適正とすることが可能である。このため、さらに被写体距離に応じて予備発光時の撮像素子の感度を設定してしまうと、撮影時に得られる画像が適正露出とならない可能性が生じる。
【０００６】
以上のように、被写体距離のみに応じて予備発光時の撮像素子の感度を設定すると、撮影時の露出が適正となるような適切な発光量でストロボ装置を発光させることができない場合がある。
【０００７】
本発明は、上記の事情に鑑みてなされたものであり、撮影条件に応じて撮像素子の感度を最適に設定しつつ、少光量で且つ広範囲を測光できる予備発光を行うことが可能なストロボ撮影装置を提供することを目的とする。
【課題を解決するための手段】
【０００８】
上記の目的を達成するために、本発明の第１の態様のストロボ撮影装置は、被写体を撮像して撮像信号を得る撮像手段と、前記撮像信号を増幅する増幅手段と、前記被写体を照明する照明手段と、前記被写体の輝度を測定する測光手段と、前記被写体までの距離を測定する測距手段と、前記照明手段の予備発光に先立って得られる、撮影時における前記撮像手段の感度に係る情報と、前記被写体の輝度と、前記被写体までの距離とを判定条件として、前記照明手段の予備発光時の前記増幅手段における増幅の際の増幅率を設定する増幅率設定手段と、前記増幅率設定手段によって前記増幅手段の増幅率を設定した状態で、前記照明手段による予備発光を行う制御手段とを具備することを特徴とする。
【発明の効果】
【０００９】
本発明によれば、撮影条件に応じて撮像素子の感度を最適に設定しつつ、少光量で且つ広範囲を測光できる予備発光を行うことが可能なストロボ撮影装置を提供することができる。
【発明を実施するための最良の形態】
【００１０】
以下、図面を参照して本発明の実施形態を説明する。  
図１は、本発明の一実施形態に係るストロボ撮影装置の一例としてのデジタルカメラのブロック図である。図１に示すデジタルカメラは、撮影レンズ１０１と、絞り機構１０２と、駆動部１０３と、撮像素子１０４と、撮像処理部１０５と、アナログ/デジタル（Ａ/Ｄ）変換部１０６と、バス１０７と、ＳＤＲＡＭ１０８と、画像処理部１０９と、ＡＥ処理部１１０と、ＡＦ処理部１１１と、ＪＰＥＧ処理部１１２と、メモリインターフェース（Ｉ/Ｆ）１１３と、記録媒体１１４と、ＬＣＤドライバ１１５と、ＬＣＤ１１６と、マイクロコンピュータ（ＣＰＵ）１１７と、操作部１１８と、Ｆｌａｓｈメモリ１１９と、ストロボ発光部１２０と、電源部１２１とを有している。
【００１１】
撮影レンズ１０１は、被写体の光学像を撮像素子１０４に集光させるための光学系である。この撮影レンズ１０１は、可変焦点レンズ（所謂ズームレンズ）であり、ＣＰＵ１１７からの指示に応じて駆動する駆動部１０３によりその光軸方向に移動される。これにより、撮影レンズ１０１の焦点距離や被写体へのフォーカス状態を変更することが可能である。また、絞り機構１０２は、撮影レンズ１０１を介して撮像素子１０４に入射する光の入射量を調節する。この絞り機構１０２は駆動部１０３により開閉される。さらに、撮影レンズ１０１の近傍には図示しないメカシャッター機構が設けられている。撮影時には、ＣＰＵ１１７からの指示に応じて図示しないメカシャッター機構を駆動させることで撮像素子１０４の露光時間を制御することが可能である。
【００１２】
撮像手段としての機能を有する撮像素子１０４は、ベイヤー配列のカラーフィルタが画素を構成するフォトダイオードの前面に配置された撮像素子である。この撮像素子１０４は、撮影レンズ１０１により集光された光を、画素を構成するフォトダイオードで受光して光電変換することで、光の量を電荷量として撮像処理部１０５へ出力する。なお、撮像素子１０４はＣＭＯＳ方式でもＣＣＤ方式でも良い。
【００１３】
増幅手段としての機能を有する撮像処理部１０５は、撮像素子１０４から読み出された電気信号（アナログ撮像信号）に対し、リセットノイズ等を低減した上で波形整形を行い、さらに目的の明るさとなるようにアナログ撮像信号の増幅を行う。ここで、本実施形態においては、撮像処理部１０５による撮像信号の増幅の際の増幅率を可変になされている。ＣＰＵ１１７は、ＩＳＯ感度等に応じた感度値（ＳＶ値）に従って撮像処理部１０５の増幅率を設定する。
【００１４】
Ａ/Ｄ変換部１０６は、撮像処理部１０５から出力されるアナログ画像信号をデジタル撮像信号（以降、撮像データという）に変換する。
【００１５】
バス１０７は、デジタルカメラ内部で発生した各種データをデジタルカメラ内の各部に転送するための転送路である。バス１０７は、Ａ/Ｄ変換部１０６と、ＳＤＲＡＭ１０８と、画像処理部１０９と、ＡＥ処理部１１０と、ＡＦ処理部１１１と、ＪＰＥＧ処理部１１２と、メモリＩ/Ｆ１１３と、ＬＣＤドライバ１１５と、ＣＰＵ１１７とに接続されている。
【００１６】
Ａ/Ｄ変換部１０６で得られた画像データは、バス１０７を介して一旦ＳＤＲＡＭ１０８に記憶される。ＳＤＲＡＭ１０８は、Ａ/Ｄ変換部１０６において得られた画像データや、画像処理部１０９、ＪＰＥＧ処理部１１２において処理された画像データ等の各種データが一時的に記憶される記憶部である。
【００１７】
画像処理部１０９は、ＳＤＲＡＭ１０８から読み出した画像データに対し、ホワイトバランス補正処理、同時化処理、色変換処理等の画像処理を施す。
【００１８】
測光手段としての機能を有するＡＥ処理部１１０は、画像データを用いて被写体輝度（被写体を含むシーンの明るさ）を算出する。被写体輝度を算出するためのデータは、専用の測光センサの出力であってもよい。ＡＦ処理部１１１は、画像データから高周波成分の信号を取り出しＡＦ（Auto Focus）積算処理により合焦評価値を取得する。
【００１９】
ＪＰＥＧ処理部１１２は、画像データの記録時には、ＳＤＲＡＭ１０８からＲＧＢの画像データを読み出し、読み出した画像データをＪＰＥＧ圧縮方式に従って圧縮する。圧縮された画像データはＳＤＲＡＭ１０８に一旦記憶された後、メモリＩ/Ｆ１１３を介して記録媒体１１４に記録される。ここで、記録媒体１１４は、例えばカメラ本体に着脱可能なメモリカードからなる記録媒体であるが、これに限定されるものではない。
【００２０】
ＬＣＤドライバ１１５は、ＬＣＤ１１６に画像を表示させる。記録媒体１１４に記録されたＪＰＥＧ圧縮画像データを再生する場合には、ＪＰＥＧ処理部１１２は、記録媒体１１４に記録されているＪＰＥＧ圧縮画像データを読み出して伸張処理を施した上で、伸張した画像データを一旦ＳＤＲＡＭ１０８に記憶させる。ＬＣＤドライバ１１５は、その画像データをＳＤＲＡＭ１０８から読み出し、読み出した画像データを映像信号へ変換した後でＬＣＤ１１６へ出力し、画像の表示を行う。
【００２１】
増幅率設定手段及び制御手段としての機能を有するＣＰＵ１１７は、デジタルカメラ本体の各種シーケンスを統括的に制御する。このＣＰＵ１１７には、操作部１１８、Ｆｌａｓｈメモリ１１９が接続されている。また、本実施形態において、ＣＰＵ１１７は、ＡＦ処理の結果に基づいて被写体までの距離（被写体距離）を算出する測距手段としての機能も有する。なお、被写体距離は専用のセンサを用いて測定するようにしても良い。また、被写体距離をＡＦ処理部１１１において算出するようにしても良い。
【００２２】
操作部１１８は、電源ボタン、レリーズボタン、ズームボタン、各種入力キー等の操作部材である。ユーザにより操作部１１８の何れかの操作部材が操作されることにより、ＣＰＵ１１７は、ユーザの操作に応じた各種シーケンスを実行する。電源ボタンは、当該デジタルカメラの電源のオンオフ指示を行うための操作部材である。電源ボタンが押されたときに、ＣＰＵ１１７は、当該デジタルカメラの電源をオン又はオフする。レリーズボタンは、１ｓｔレリーズスイッチと２ｎｄレリーズスイッチの２段スイッチを有して構成されている。レリーズボタンが半押しされて１ｓｔレリーズスイッチがオンされた場合に、ＣＰＵ１１７は、ＡＥ処理やＡＦ処理等の撮影準備シーケンスを行う。また、レリーズボタンが全押しされて２ｎｄレリーズスイッチがオンされた場合に、ＣＰＵ１１７は撮影シーケンスを実行して撮影を行う。ズームボタンは、ワイドボタンとテレボタンとを有している。ワイドボタンが押された場合に、ＣＰＵ１１７はレンズ駆動シーケンスを実行して駆動部１０３を駆動させ、撮影レンズ１０１の焦点距離を短焦点距離側に変更する。テレボタンが押された場合に、ＣＰＵ１１７はレンズ駆動シーケンスを実行して駆動部１０３を駆動させ、撮影レンズ１０１の焦点距離を長焦点距離側に変更する。各種の入力キーは撮影モードの設定等の各種の入力操作の際に用いられる。ユーザは、例えば、ＬＣＤ１１６において表示されるメニュー画面上で入力キーを用いて撮影時のＩＳＯ感度等の撮影条件を設定することが可能である。ここで、ＩＳＯ感度は撮像素子１０４の感度に対応する情報である。
【００２３】
本実施形態では、例として、ＩＳＯ感度を、「ＡＵＴＯＩＳＯモード」、「ＡＵＴＯＩＳＯ  Ｈｉｇｈオートモード」、「ＩＳＯ８０」、「ＩＳＯ１００」、「ＩＳＯ２００」、「ＩＳＯ４００」、「ＩＳＯ８００」、「ＩＳＯ１６００」、「ＩＳＯ３２００」の中から選択できるものとする。ＡＵＴＯＩＳＯモードは、撮影時の撮影条件（被写体輝度やストロボ発光の有無等）に応じて撮像素子１０４の感度を可変できるモードである。ＡＵＴＯＩＳＯ  Ｈｉｇｈオートモードは、基本的な動作はＡＵＴＯＩＳＯモードに準じているが、ＡＵＴＯＩＳＯモードよりも、さらに高感度の撮影を行うためのモードである。ＩＳＯ８０、ＩＳＯ１００、ＩＳＯ２００、ＩＳＯ４００、ＩＳＯ８００、ＩＳＯ１６００、ＩＳＯ３２００は、撮影時のＩＳＯ感度をそれぞれの数値が示す値に固定するモードである。
【００２４】
以下、ＡＵＴＯＩＳＯモード及びＡＵＴＯＩＳＯ  ＨｉｇｈオートモードをＡＵＴＯモードと総称し、ＩＳＯ８０、ＩＳＯ１００、ＩＳＯ２００、ＩＳＯ４００、ＩＳＯ８００、ＩＳＯ１６００、ＩＳＯ３２００を固定ＩＳＯモードと総称する。
【００２５】
Ｆｌａｓｈメモリ１１９は、デジタルカメラの動作に必要な各種パラメータを記憶している。また、Ｆｌａｓｈメモリ１１９は、ＣＰＵ１１７にて実行するプログラムも記憶している。ＣＰＵ１１７は、Ｆｌａｓｈメモリ１１９に記憶されているプログラムに従い、またＦｌａｓｈメモリ１１９から各種シーケンスに必要なパラメータを読み込み、各処理を実行する。
【００２６】
照明手段としての機能を有するストロボ発光部１２０は、発光することで被写体を照明する。ストロボ発光部１２０の発光量はＣＰＵ１１７によって演算されるものである。ＩＳＯ１００相当のストロボ発光部１２０の発光量をＧＮｏとすると、
【数１】
2009288657.tif 000003
【００２７】
の関係が成立している。ここで、（式１）の設定ＩＳＯは、ユーザによって設定されるＩＳＯ感度を示す値である。また、Ｆは絞り値である。さらに、ｄはストロボ発光部１２０による調光可能な距離の範囲である。
【００２８】
電源部１２１は、デジタルカメラの各部の動作に必要な電力をデジタルカメラの各部に供給する。
【００２９】
以下、図１に示すデジタルカメラの動作について説明する。本実施形態においては、ストロボ撮影時の発光量を決めるために行う予備発光の際の撮像素子１０４の感度（撮像処理部１０５における増幅の際の増幅率設定）を、各種の判定条件に従って設定する。
【００３０】
以下、本実施形態における予備発光時の撮像素子１０４の感度設定の手法について説明する。  
図２は、発光量ＧＮｏ及び絞り値Ｆを固定したときの、ＩＳＯ感度とストロボ発光部１２０による調光が可能な距離範囲ｄとの関係を示す図である。なお、図２はＧＮｏ＝２．０で絞り値Ｆ＝２．０の例を示している。
【００３１】
上述の（式１）の関係からも分かるように、発光量ＧＮｏと絞り値Ｆとを固定とした場合、遠方の被写体を撮影可能とするためにはＩＳＯ感度を高くする必要がある。ＩＳＯ感度を高くすれば、撮像処理部１０５における増幅の際の増幅率が大きくなるので、ストロボ発光部１２０の発光量が少なくともより遠くの被写体を撮影可能である。しかしながら、ＩＳＯ感度を高くすると近距離側の露出がオーバーとなり、近距離側で適正な露出の撮影を行うことができなくなる。即ち、一般のストロボ発光部は、図２に示すように、ＩＳＯ感度に応じて最適なストロボ撮影を行うことが可能な範囲が異なることになる。
【００３２】
上述したように、ＩＳＯ１００等の固定ＩＳＯモードの場合には、撮影時にストロボ発光部１２０の発光量が不足するような場合であっても撮像素子１０４の感度、即ち撮像処理部１０５における増幅率を変更できない。したがって、固定ＩＳＯモードの場合にはストロボの調光時においても、ユーザによって設定されたＩＳＯ感度に対応したＳＶ値に従って撮像処理部１０５の増幅率を設定する。これにより、撮影時のＩＳＯ感度設定に従ったストロボ発光部１２０の調光を行うことが可能である。
【００３３】
また、ＩＳＯ感度のモードがＡＵＴＯモードの場合には撮影時のＩＳＯ感度が可変である。このときは、撮影時にストロボ発光部１２０の発光量が不足するような場合にはＩＳＯ感度、即ち撮像処理部１０５における増幅率を大きくすれば良い。このため、固定ＩＳＯモードの場合に比べて調光範囲が広いと言える。
【００３４】
また、ＡＵＴＯモードであっても被写体輝度が高輝度である場合、例えば逆光シーン等でストロボ撮影を行う場合には、シーンの露出は適正であるため、画像全体の明るさが変更されてしまうＩＳＯ感度の変更を行うことはできない。したがって、この場合も、固定のＳＶ値に従って撮像処理部１０５の増幅率を設定する。
【００３５】
ＡＵＴＯモードで且つ被写体輝度が低輝度である場合、即ち低輝度シーンにおいてストロボ撮影を行う場合には、撮影時にストロボ発光部１２０の発光量が不足しているようなときにはＩＳＯ感度を大きくすれば良い。このような場合には、被写体距離に応じてストロボ発光部１２０の調光時における撮像処理部１０５の増幅率を設定することが望ましい。ただし、合焦している被写体が存在していない場合には、固定のＳＶ値に従って撮像処理部１０５の増幅率を設定する。
【００３６】
上述の考え方に基づき、本実施形態においては、（１）ＩＳＯモード設定、（２）シーンの輝度状態、（３）被写体距離（及び合焦被写体の有無）を判定条件として用いてストロボ調光時のＳＶ値を設定し、この設定に従って撮像処理部１０５の増幅率を設定する。
【００３７】
図３は、図１に示すデジタルカメラにおける撮影時の処理を示すフローチャートである。  
図３において、ＣＰＵ１１７は、ユーザによりレリーズボタンが半押しされて１ｓｔレリーズスイッチがオンされたかを判定する（ステップＳ２０１）。ステップＳ２０１の判定において、１ｓｔレリーズスイッチがオンされるまで、ＣＰＵ１１７は、繰り返しステップＳ２０１の判定を行う。
【００３８】
一方、ステップＳ２０１の判定において、１ｓｔレリーズスイッチがオンされた場合に、ＣＰＵ１１７は、ＡＦ処理を実行する（ステップＳ２０２）。即ち、ＣＰＵ１１７は、ＡＦ処理部１１１で得られるＡＦ評価値から、撮像素子１０４に集光される被写体の像が最も鮮明になるように駆動部１０３を駆動させて撮影レンズ１０１のフォーカスを調整する。また、ＣＰＵ１１７は、フォーカス調整結果に従って被写体までの距離を算出する。
【００３９】
次に、ＣＰＵ１１７は、ＡＥ処理部１１０において被写体輝度を算出させる（ステップＳ２０３）。その後、ＣＰＵ１１７は、ＡＥ処理部１１０において算出された被写体輝度と予めＦｌａｓｈメモリ１１９に記憶された絞り値とシャッター速決定テーブルに基づき、撮影時の絞り値とシャッター速とを算出する（ステップＳ２０４）。
【００４０】
次に、ＣＰＵ１１７は、ユーザによりレリーズボタンが全押しされて２ｎｄレリーズスイッチがオンされたかを判定する（ステップＳ２０５）。ステップＳ２０５の判定において、２ｎｄレリーズスイッチがオンされるまで、ＣＰＵ１１７は、繰り返しステップＳ２０５の判定を行う。
【００４１】
一方、ステップＳ２０５の判定において、２ｎｄレリーズスイッチがオンされた場合に、ＣＰＵ１１７は、ストロボ発光部１２０を発光させた撮影を行うか否かを判定する（ステップＳ２０６）。例えば、ＡＥ処理の結果から、被写体輝度が所定レベルよりも暗い場合や、ユーザによってストロボ発光部１２０を発光させるように設定された場合に、ストロボ発光部１２０を発光させた撮影を行うものとする。
【００４２】
ステップＳ２０６の判定において、ストロボ発光部１２０を発光させた撮影を行う場合に、ＣＰＵ１１７は、調光時におけるＳＶ値、即ち撮像処理部１０５における増幅率を設定するためのＳＶ値設定処理を行う（ステップＳ２０７）。このＳＶ値設定処理の詳細については後述する。ステップＳ２０７において、撮像処理部１０５の増幅率の設定の後、ＣＰＵ１１７は、ＡＥ処理部１１０において定常光測光を実行させる（ステップＳ２０８）。即ち、ＡＥ処理部１１０は、ストロボ発光部１２０の発光がなされていない状態で撮像素子１０４を介して得られる画像データに基づいて被写体輝度を算出する。定常光測光の終了後、ＣＰＵ１１７は、ＡＥ処理部１１０において予備発光測光を実行させる（ステップＳ２０９）。即ち、ＣＰＵ１１７は、ストロボ発光部１２０を所定の少光量で発光させるとともに、ＡＥ処理部１１０を動作させる。ＡＥ処理部１１０は、ストロボ発光部１２０の予備発光がなされた状態で撮像素子１０４を介して得られる画像データに基づいて被写体輝度を算出する。
【００４３】
定常光測光及び予備発光測光の終了後、ＣＰＵ１１７は、予備発光測光によって得られた被写体輝度と定常光測光によって得られた被写体輝度との差から、撮影時におけるストロボ発光部１２０の発光量（本発光量）を演算する（ステップＳ２１０）。ストロボ発光部１２０の本発光量の演算後、ＣＰＵ１１７は、ステップＳ２１０で得られた本発光量でストロボ発光部１２０を発光させるとともに、ステップＳ２０４において算出した絞り値とシャッター速とを用いて絞り機構１０２と図示しないメカシャッター機構とを制御しつつ、撮影を行う（ステップＳ２１１）。
【００４４】
また、ステップＳ２０６の判定において、ストロボ発光部１２０を発光させない通常撮影を行う場合に、ＣＰＵ１１７は、ステップＳ２０４において算出した絞り値とシャッター速とを用いて絞り機構１０２と図示しないメカシャッター機構とを制御しつつ、通常撮影を行う（ステップＳ２１２）。
【００４５】
ステップＳ２１１又はステップＳ２１２の後、ＣＰＵ１１７は、画像処理部１０９により、撮影によって得られた画像データに対し、ホワイトバランス補正処理、色補正処理、歪補正処理、同時化処理等の画像処理を行う（ステップＳ２１３）。次に、ＣＰＵ１１７は、ＪＰＥＧ処理部１１２により、画像処理後の画像データをＪＰＥＧ圧縮する（ステップＳ２１４）。最後に、ＣＰＵ１１７は、ＪＰＥＧ圧縮により得られたＪＰＥＧ圧縮画像データを記録媒体１１４に記録させる（ステップＳ２１５）。その後に、ＣＰＵ１１７は図３の処理を終了させる。
【００４６】
次に、図３のステップＳ２０７におけるＳＶ値設定処理について説明する。図４は、ＳＶ値設定処理について示すフローチャートである。
【００４７】
図４において、ＣＰＵ１１７は、ＩＳＯモードが固定ＩＳＯモードであるか否かを判定する（ステップＳ３０１）。ステップＳ３０１の判定において、ＩＳＯモードが固定ＩＳＯモードである場合に、ＣＰＵ１１７は、各ＩＳＯモードの設定に従ってＳＶ値を設定する（ステップＳ３０３）。この設定については後述する。
【００４８】
また、ステップＳ３０１の判定において、ＩＳＯモードがＡＵＴＯモードである場合に、ＣＰＵ１１７は、図２のステップＳ２０３においてＡＥ処理部１１０で得られた被写体輝度が高輝度発光条件を満たしている、即ち被写体輝度が所定レベルよりも高いか否かを判定する（ステップＳ３０２）。ステップＳ３０２の判定において、被写体輝度が高輝度発光条件を満たしている場合に、ＣＰＵ１１７は、ステップＳ３０３において高輝度発光条件を満たした場合の設定に従ってＳＶ値を設定する。
【００４９】
また、ステップＳ３０２の判定において、被写体輝度が高輝度発光条件を満たしていない場合に、ＣＰＵ１１７は、現在、合焦している被写体が存在しているか否かを判定する（ステップＳ３０４）。ステップＳ３０４の判定において、現在、合焦している被写体が存在していない場合に、ＣＰＵ１１７は、ＳＶ値を設定値Ｃ（詳細は後述）に設定する（ステップＳ３０５）。合焦している被写体が存在しない場合には、正しい被写体距離を得ることができないので、このような場合にはＳＶ値を被写体距離によらない値に設定する。
【００５０】
また、ステップＳ３０４の判定において、現在、合焦している被写体が存在している場合に、ＣＰＵ１１７は、合焦している被写体までの距離（複数存在している場合には例えば最も近距離のもの）が、所定の設定距離よりも近距離であるか否かを判定する（ステップＳ３０６）。ステップＳ３０６の判定において、合焦している被写体までの距離が、所定の設定距離よりも近距離である場合に、ＣＰＵ１１７は、ＳＶ値を近距離に対応した設定値Ａ（詳細は後述）に設定する（ステップＳ３０７）。一方、ステップＳ３０６の判定において、合焦している被写体までの距離が、所定の設定距離よりも近距離でない場合に、ＣＰＵ１１７は、ＳＶ値を遠距離に対応した設定値Ｂ（詳細は後述）に設定する（ステップＳ３０８）。
【００５１】
ステップＳ３０３、Ｓ３０５、Ｓ３０７、Ｓ３０８においてＳＶ値を設定した後、ＣＰＵ１１７は図３の処理を終了させる。
【００５２】
図５は、図４のステップＳ３０３における固定ＩＳＯモード又は高輝度発光時におけるＳＶ値設定処理について示すフローチャートである。固定ＩＳＯモード時においてはＳＶ値を固定値としても良いが、図５の例ではＩＳＯ４００又はＩＳＯ８００の場合に被写体距離に応じてＳＶ値を設定するようにしている。
【００５３】
図５において、ＣＰＵ１１７は、ＩＳＯモードがＩＳＯ４００又はＩＳＯ８００であるか否かを判定する（ステップＳ４０１）。ステップＳ４０１の判定において、ＩＳＯモードがＩＳＯ８０、ＩＳＯ１００、ＩＳＯ２００、ＩＳＯ１６００、ＩＳＯ３２００の何れか、或いは被写体輝度が高輝度発光条件を満たしている場合に、ＣＰＵ１１７は、ＳＶ値を設定値Ｇ（詳細は後述）に設定する（ステップＳ４０２）。
【００５４】
また、ステップＳ４０１の判定において、ＩＳＯモードがＩＳＯ４００又はＩＳＯ８００である場合に、ＣＰＵ１１７は、現在、合焦している被写体が存在しているか否かを判定する（ステップＳ４０３）。ステップＳ４０３の判定において、現在、合焦している被写体が存在していない場合に、ＣＰＵ１１７は、ＳＶ値を設定値Ｆ（詳細は後述）に設定する（ステップＳ４０４）。
【００５５】
また、ステップＳ４０３の判定において、現在、合焦している被写体が存在している場合に、ＣＰＵ１１７は、合焦している被写体までの距離（複数存在している場合には例えば最も近距離のもの）が、所定の設定距離よりも近距離であるか否かを判定する（ステップＳ４０５）。ステップＳ４０５の判定において、合焦している被写体までの距離が、所定の設定距離よりも近距離である場合に、ＣＰＵ１１７は、ＳＶ値をＩＳＯ４００又はＩＳＯ８００用の近距離に対応した設定値Ｄ（詳細は後述）に設定する（ステップＳ４０６）。一方、ステップＳ４０５の判定において、合焦している被写体までの距離が、所定の設定距離よりも近距離でない場合に、ＣＰＵ１１７は、ＳＶ値をＩＳＯ４００又はＩＳＯ８００用の遠距離に対応した設定値Ｅ（詳細は後述）に設定する（ステップＳ４０７）。
【００５６】
図６は、ＳＶ値の設定例を示した図である。  
図６に示す例では、ＡＵＴＯモードで高輝度発光条件を満たしておらず被写体距離が設定距離よりも近距離の場合の設定値ＡをＩＳＯ２００相当のＳＶ値としている。また、ＡＵＴＯモードで高輝度発光条件を満たしておらず被写体距離が設定距離よりも近距離でない場合の設定値Ｂを設定値Ａよりも大きなＩＳＯ８００相当のＳＶ値としている。ここで、図４及び図６においては、被写体距離に応じて２種類のＳＶ値を設定するようにしているが、設定距離の数を増やすことにより、被写体距離に応じて３種類以上のＳＶ値を設定できるようにしても良い。
【００５７】
また、ＡＵＴＯモードで高輝度発光条件を満たしておらず合焦している被写体が存在していない場合の設定値ＣをＩＳＯ２００相当のＳＶ値としている。ここでは設定値Ｃを設定値Ａと同じ値としているが異なる値としても良い。
【００５８】
また、ＡＵＴＯモードで高輝度発光条件を満たしている場合の設定値ＧをＩＳＯ２００相当のＳＶ値＋（ＡＥ＿ａｖ−開放ａｖ）としている。ここで、ＡＥ＿ａｖはステップＳ２０４において算出された絞り値である。また、開放ａｖは開放絞り値である。高輝度発光条件を満たしている場合には撮像素子１０４の露出は適正であると考えられる。したがって、ＡＥ処理の結果を用いて調光時のＳＶ値を設定することでストロボ発光時の露出も適正となるようにする。また、図６では、ＩＳＯ８０、ＩＳＯ１００、ＩＳＯ２００の場合の設定値ＧもＩＳＯ２００相当のＳＶ値＋（ＡＥ＿ａｖ−開放ａｖ）としている。ＩＳＯ８０、ＩＳＯ１００、ＩＳＯ２００の場合の設定値Ｇは、ＡＵＴＯモードで高輝度発光条件を満たしている場合の設定値Ｇと異ならせるようにしても良い。さらに、図６では、ＩＳＯ１６００、ＩＳＯ３２００の場合の設定値ＧをそれぞれＩＳＯ８００相当のＳＶ値、ＩＳＯ１６００相当のＳＶ値に設定している。
【００５９】
また、図６では、ＩＳＯ４００又はＩＳＯ８００で被写体距離が設定距離よりも近距離の場合の設定値ＤをＩＳＯ２００相当のＳＶ値としている。また、ＩＳＯ４００又はＩＳＯ８００で被写体距離が設定距離よりも近距離でない場合の設定値Ｅを設定値Ａよりも大きなＩＳＯ８００相当のＳＶ値としている。さらに、ＩＳＯ４００又はＩＳＯ８００で合焦している被写体が存在していない場合の設定値ＦをＩＳＯ２００相当のＳＶ値としている。ここでは設定値Ｆを設定値Ｄと同じ値としているが異なる値としても良い。
【００６０】
以上説明したように、本実施形態によれば、予備発光時のＳＶ値設定の際に、被写体距離以外に、ＩＳＯモード設定と被写体輝度とを用いることにより、より撮影時の状況に適した予備発光を行うことが可能である。
【００６１】
以上実施形態に基づいて本発明を説明したが、本発明は上述した実施形態に限定されるものではなく、本発明の要旨の範囲内で種々の変形や応用が可能なことは勿論である。
【００６２】
例えば、上述した図６の各設定値は一例であって適宜変更可能である。また、本実施形態では、ＩＳＯ４００又はＩＳＯ８００の場合のＳＶ値を被写体距離に応じて設定するようにしているが、ＩＳＯ４００又はＩＳＯ８００の場合のＳＶ値を固定値としても良い。
【００６３】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００６４】
【図１】本発明の一実施形態に係るストロボ撮影装置の一例としてのデジタルカメラのブロック図である。
【図２】ＩＳＯ感度とストロボ発光部による調光が可能な距離範囲との関係を示す図である。
【図３】図１に示すデジタルカメラにおける撮影時の処理を示すフローチャートである。
【図４】ＳＶ値設定処理について示すフローチャートである。
【図５】固定ＩＳＯモード又は高輝度発光時におけるＳＶ値設定処理について示すフローチャートである。
【図６】ＳＶ値の設定例を示した図である。
【符号の説明】
【００６５】
１０１…撮影レンズ、１０２…絞り機構、１０３…駆動部、１０４…撮像素子、１０５…撮像処理部、１０６…アナログ/デジタル（Ａ/Ｄ）変換部、１０７…バス、１０８…ＳＤＲＡＭ、１０９…画像処理部、１１０…ＡＥ処理部、１１１…ＡＦ処理部、１１２…ＪＰＥＧ処理部、１１３…メモリインターフェース（Ｉ/Ｆ）、１１４…記録媒体、１１５…ＬＣＤドライバ、１１６…ＬＣＤ、１１７…マイクロコンピュータ（ＣＰＵ）、１１８…操作部、１１９…Ｆｌａｓｈメモリ、１２０…ストロボ発光部、１２１…電源部
【図１】
2009288657.tif 000004
【図２】
2009288657.tif 000005
【図３】
2009288657.tif 000006
【図４】
2009288657.tif 000007
【図５】
2009288657.tif 000008
【図６】
2009288657.tif 000009